(57)【特許請求の範囲】
【請求項１】
記録再生装置の外装ケースの蓋体の開閉動作に連動して回動自在に支持されカートリッジが挿入保持されるカートリッジホルダーと、
前記カートリッジホルダーに摺動自在に取り付けられるとともに挿入されたカートリッジに係合するカートリッジ係合片を有するイジェクトスライダと、
前記イジェクトスライダに一体に形成され弾性変形が可能なロック片およびロック片解除用係合片を有するロック手段と、
前記イジェクトスライダをカートリッジのイジェクト方向に付勢するイジェクト付勢手段と、
前記カートリッジホルダーに設けられ前記ロック手段のロック片をロックする係止部材と、
前記カートリッジホルダーを回動自在に支持する記録再生装置の本体側に設けられ前記ロック手段のロック解除用係合片と係合してロック片の係止部に対するロックを解除するロック解除部材を備え、
前記ロック手段は、蓋体が開状態でカートリッジをカートリッジホルダーに奥部まで挿入した際にロック片が係止部材にロックされるとともに、前記蓋体の閉状態から開く際にロック解除用係合片がロック解除部材に係合してロック状態が解除され、カートリッジをカートリッジホルダーからイジェクトする
カートリッジイジェクト装置。
【請求項２】
イジェクトスライダとロック手段を１枚の板金により構成し、カートリッジ係合片をカートリッジホルダーのカートリッジ挿入域に突出形成し、カートリッジの挿入押圧によりイジェクトスライダを摺動するとともに、ロック手段をロックするように構成した
請求項１記載のカートリッジイジェクト装置。
【請求項３】
ロック手段のロック解除用係合片は、蓋体の開状態から閉状態に回動するカートリッジホルダーの回動の際、ロック解除部材と係合するも、当該ロック解除用係合片とロック解除部材のうちの少なくとも一方が弾性変形することによりロック片のロック状態を解除することなく蓋が閉状態となるように構成した
請求項１または請求項２記載のカートリッジイジェクト装置。
【請求項４】
ロック解除部材は、カートリッジホルダーを回動自在に保持するシャーシを折り曲げて一体に形成した
請求項１または請求項２記載のカートリッジイジェクト装置。
【請求項５】
ロック解除部材は、カートリッジホルダーを回動自在に保持するシャーシに保持した弾性部材で形成し、ロック解除用係合片の蓋の閉方向への移動時には変形し、蓋の開方向への移動時にはロック解除用係合片と係合可能に構成した
請求項１または請求項２記載のカートリッジイジェクト装置。
【請求項６】
記録再生装置の外装ケースの上蓋（１）の開閉動作に連動して回動自在に支持されカートリッジが挿入保持されるカートリッジホルダー（２）と、
前記カートリッジホルダー（２）に摺動自在に取り付けられるとともに挿入されたカートリッジ（４）に係合するカートリッジ係合片（１６）を有し、かつ孔（２１）を穿設して形成されたロック片（１９）とこのロック片（１９）の先端に形成されたロック解除用係合片（２０）が一体に形成されたイジェクトスライダ（１５）と、
前記イジェクトスライダ（１５）をカートリッジ（４）のイジェクト方向に付勢するバネ（２６）と、
前記カートリッジホルダー（２）に設けられ前記ロック片（１９）に係合する係止部材（１１）と、
前記カートリッジホルダー（２）を回動自在に支持するメカシャーシ（６）の側に設けられカートリッジホルダー（２）が閉塞方向へ回動する際には前記のロック解除用係合片（２０）がカートリッジホルダー（２）の側に設けられたロック解除部材（１４）の側面に当接して弾性変形しながらロック解除部材（１４）の下面に潜り込んでロック解除用係合片（２０）の前記の弾性変形が解除され、弾性変形が解除されたロック解除用係合片（２０）がその後のカートリッジホルダー（２）の開放方向への回動によってロック解除部材（１４）に係合してロック片（１９）と係止部材（１１）との前記の係合が解除されて、イジェクトスライダ（１５）が前記バネ（２６）の付勢力でカートリッジイジェクト方向に摺動し、カートリッジ係合片（１６）がカートリッジ（４）をカートリッジホルダー（２）からイジェクトする
カートリッジイジェクト装置。
【請求項７】
記録再生装置の外装ケースの上蓋（１）の開閉動作に連動して回動自在に支持されカートリッジが挿入保持されるカートリッジホルダー（２）と、
前記カートリッジホルダー（２）に摺動自在に取り付けられるとともに挿入されたカートリッジ（４）に係合するカートリッジ係合片（１６）を有し、かつ一体に形成されたロック片（１９）を有するイジェクトスライダ（１５）と、
前記イジェクトスライダ（１５）をカートリッジのイジェクト方向に付勢するバネ（２６）と、
前記カートリッジホルダー（２）に設けられ前記ロック片（１９）に係合する係止部（１１）と、
前記カートリッジホルダー（２）を回動自在に支持するメカシャーシ（６）の側に設けられ弾性変形が可能なロック解除手段（２７）と
を設け、カートリッジホルダー（２）が閉塞方向へ回動する際には前記ロック片（１９）がロック解除手段（２７）に当接して弾性変形して前記ロック片（１９）が側方を通過し、その後のカートリッジホルダー（２）の開放方向への回動によって前記ロック片（１９）が前記ロック解除手段（２７）に係合してロック片（１９）と係止部材（１１）との前記の係合が解除されて、イジェクトスライダ（１５）が前記バネ（２６）の付勢力でカートリッジイジェクト方向に摺動し、カートリッジ係合片（１６）がカートリッジ（４）をカートリッジホルダー（２）からイジェクトする
カートリッジイジェクト装置。
【請求項８】
メカシャーシ（６）の側に設けられたロック解除手段（２７）を、
メカシャーシ（６）を折り曲げて構成されたロック解除部本体（２８）と、
弾性材料で形成され前記のロック解除部本体（２８）に取り付けられるロック解除片（２９）と
で構成した請求項７記載のカートリッジイジェクト装置。
【請求項９】
メカシャーシ（６）を折り曲げて構成されたロック解除部本体（２８）とこのロック解除部本体（２８）に取り付けられるロック解除片（２９）を、
ロック解除片（２９）にはロック解除部本体（２８）の後端に形成された第１の凸部（２８ａ）に係合する第１の折曲片（２９ｂ）がロック解除片本体（２９ｃ）の後部に形成され、
ロック解除片本体（２９ｃ）の前端の上面にはカートリッジホルダー（２）に近付くように内側に折り曲げられた第２の折曲片（２９ｄ）が形成され、
第２の折曲片（２９ｄ）の途中には後端に向かって延びる支持片（２９ｅ）が形成され、
ロック解除片本体（２９ｃ）にはメカシャーシ（６）のロック解除部本体（２８）の外側面に形成された第２の凸部（２８ｂ）に係合する切欠部（２９ｆ）が形成され、
このロック解除片（２９）の前記の切欠部（２９ｆ）を形成することによってロック解除片本体（２９ｃ）に形成された腕部（２９ｇ）は、ロック解除部本体（２８）の側に僅かに折り曲げて形成した
請求項７記載のカートリッジイジェクト装置。
【発明の詳細な説明】
【０００１】
【発明の属する技術分野】
本発明は携帯用ディスク装置などに使用されるカートリッジイジェクト装置に関するものである。
【０００２】
【従来の技術】
光ディスク媒体を光ピックアップで読み取って再生する携帯用ディスク装置としては、カートリッジに６４ｍｍの光ディスク媒体を内蔵したミニディスク（大きさは７２ｍｍ×６８ｍｍ×５ｍｍ）に記録された音楽を手軽にアウトドアに持ち出して聴けるように、軽量小型化された携帯用ＭＤプレーヤーが一般に普及している。
【０００３】
携帯用ＭＤプレーヤーでは、外装ケースの上蓋を開くとカートリッジホルダーのカートリッジ挿入口が現れ、カートリッジホルダーにカートリッジを挿入すると、この挿入の操作に連動してカートリッジのシャッタが開放される。
【０００４】
このようにカートリッジをカートリッジホルダーにセットして前記の上蓋を閉じると、カートリッジに収容されている光ディスクが、ドライブ装置に結合され、シャッタが開放されたカートリッジの開口から光ヘッドが光ディスクにアクセスできる状態になる。
【０００５】
カートリッジの交換の際には、上蓋を開くことによって、それまでカートリッジホルダーにセットされていたカートリッジがイジェクト可能な状態に飛び出すように、従来ではカートリッジイジェクト装置が設けられている。
【０００６】
この従来のカートリッジイジェクト装置の一例としては、特開平７−８５５６０号公報に開示されたものがある。これは図２９に示すように、シャーシ４１の軸支部４６に一端が回動自在に枢支されるカートリッジホルダー４７に、シャッター開閉部材４８と、イジェクトレバー５８と、ロック部材６７などを組み付け、シャーシ４１にはラチェット部材７２を組み付けて構成されている。６９はロック部材６７を付勢するコイルバネ、７４はラチェット部材７２を付勢するコイルバネである。
【０００７】
【発明が解決しようとする課題】
しかしながら、図２９に示す従来の構成では、ロック部材６７とラチェット部材７２が必要であって部品点数が多く、さらに、ロック部材６７とラチェット部材７２を組み付けた状態の両者間の組み上げ精度が、イジェクト動作に影響し、確実な動作を得るためには高精度の部品加工と組み立てが要求されるものである。
【０００８】
本発明は、部品点数の削減と組み立て工数の低減を達成できるカートリッジイジェクト装置を提供することを目的とする。
【０００９】
【課題を解決するための手段】
本発明のカートリッジイジェクト装置は、カートリッジホルダーに摺動自在に取り付けられるイジェクトスライダに、弾性変形が可能なロック片およびロック解除用係合片を一体に形成したことを特徴とする。
【００１０】
また、本発明のカートリッジイジェクト装置は、カートリッジホルダーに摺動自在に取り付けられカートリッジホルダーの係止部材に係合するロック片を有するイジェクトスライダと、記録再生装置の外装ケースの側に設けられて前記ロック片のロック解除に寄与するロック解除手段を設け、カートリッジホルダーを閉じるときには互いの当接によって前記ロック片とロック解除手段の少なくとも一方を弾性変形ができるように構成して、カートリッジホルダーを開けるときには、ロック解除手段がカートリッジホルダーの係止部材とロック片との係合を解除するように構成したことを特徴とする。
【００１１】
この本発明によると、部品点数の削減と組み立て工数の低減を達成できるカートリッジイジェクト装置を実現できる。
【００１２】
【発明の実施の形態】
請求項１記載のカートリッジイジェクト装置は、記録再生装置の外装ケースの蓋体の開閉動作に連動して回動自在に支持されカートリッジが挿入保持されるカートリッジホルダーと、前記カートリッジホルダーに摺動自在に取り付けられるとともに挿入されたカートリッジに係合するカートリッジ係合片を有するイジェクトスライダと、前記イジェクトスライダに一体に形成され弾性変形が可能なロック片およびロック片解除用係合片を有するロック手段と、前記イジェクトスライダをカートリッジのイジェクト方向に付勢するイジェクト付勢手段と、前記カートリッジホルダーに設けられ前記ロック手段のロック片をロックする係止部材と、前記カートリッジホルダーを回動自在に支持する記録再生装置の本体側に設けられ前記ロック手段のロック解除用係合片と係合してロック片の係止部に対するロックを解除するロック解除部材を備え、前記ロック手段は、蓋体が開状態でカートリッジをカートリッジホルダーに奥部まで挿入した際にロック片が係止部材にロックされるとともに、前記蓋体の閉状態から開く際にロック解除用係合片がロック解除部材に係合してロック状態が解除され、カートリッジをカートリッジホルダーからイジェクトすることを特徴とする。
【００１３】
請求項２記載のカートリッジイジェクト装置は、請求項１において、イジェクトスライダとロック手段を１枚の板金により構成し、カートリッジ係合片をカートリッジホルダーのカートリッジ挿入域に突出形成し、カートリッジの挿入押圧によりイジェクトスライダを摺動するとともに、ロック手段をロックするように構成したことを特徴とする。
【００１４】
請求項３記載のカートリッジイジェクト装置は、請求項１または請求項２において、ロック手段のロック解除用係合片は、蓋体の開状態から閉状態に回動するカートリッジホルダーの回動の際、ロック解除部材と係合するも、当該ロック解除用係合片とロック解除部材のうちの少なくとも一方の弾性変形によりロック片のロック状態を解除することなく蓋が閉状態となるように構成したことを特徴とする。
【００１５】
請求項４記載のカートリッジイジェクト装置は、請求項１または請求項２において、ロック解除部材は、カートリッジホルダーを回動自在に保持するシャーシを折り曲げて一体に形成したことを特徴とする。
【００１６】
請求項５記載のカートリッジイジェクト装置は、請求項１または請求項２において、ロック解除部材は、カートリッジホルダーを回動自在に保持するシャーシに保持した弾性部材で形成し、ロック解除用係合片の蓋の閉方向への移動時には変形し、蓋の開方向への移動時にはロック解除用係合片と係合可能に構成したことを特徴とする。
【００１７】
以下、本発明のカートリッジイジェクト装置を各実施の形態に基づいて説明する。
（実施の形態１）
図１〜図１５は本発明のカートリッジイジェクト装置を備えた携帯用ディスク装置を示す。
【００１８】
図１に示すように、携帯用ＭＤプレーヤーの外装ケースの上蓋１を開くとカートリッジホルダー２のカートリッジ挿入口３が現れ、カートリッジホルダー２にカートリッジ４を挿入すると、この挿入の操作に連動してカートリッジ４のシャッタ５が開放される。６はメカシャーシである。
【００１９】
カートリッジホルダー２は、図２に示すように後端の両側に形成された折曲部７に穿設された孔８に、メカシャーシ６の後端に形成された軸支片９を挿入して回動自在に支持されている。カートリッジホルダー２には、前記の折曲部７の他にも支持板部１０と係止部材１１とシャッター開放部材１２ａとシャッター閉塞部材１２ｂと一対の切り起こし片１３ａ，１３ｂなどが一体に板金加工で形成されている。メカシャーシ６にはロック解除部材１４が一体に板金加工で形成されている。
【００２０】
カートリッジホルダー２に組み付けられるイジェクトスライダ１５は、図３と図４に示すようにカートリッジホルダー２に挿入されたカートリッジ４に当接する係合片１６と、カートリッジホルダー２の前記の支持板部１０に沿うベース部１７と、ロック手段１８とが板金加工で一体に形成されている。
【００２１】
このロック手段１８は、ロック片１９とこのロック片１９の先端に形成されたロック解除用係合片２０とが、孔２１を穿設する板金加工でイジェクトスライダ１５に一体に形成されている。
【００２２】
なお、ベース部１７にはカートリッジホルダー２の支持板部１０の切り起こし片１３ａ，１３ｂが係合するガイド長孔２２ａ，２２ｂが形成されている。ロック片１９には、図４に示すように長手方向（矢印Ａ方向）の剛性を満足させるために折曲辺２３が一体に形成されている。ロック解除用係合片２０は中間部を外側（矢印Ｂ方向）に突出させるようにへの字状に成形して、このロック解除用係合片２０の先端２０ａは内側（矢印Ｃ方向）に向いている。
【００２３】
イジェクトスライダ１５はカートリッジホルダー２に図５に示すように、カートリッジホルダー２の切り起こし片１３ａ，１３ｂをイジェクトスライダ１５のガイド長孔２２ａ，２２ｂに係合させてスライド自在に組み付け、イジェクトスライダ１５に一体に形成されているバネ係止片２４とカートリッジホルダー２に一体に形成されているバネ係止片２５の間に引っ張りコイルバネ２６が介装されている。
【００２４】
図５と図６は上蓋１を開いてカートリッジ挿入口３からカートリッジ４をイジェクトスライダ１５の係合片１６に当接するまで挿入した状態を示している。この状態から引っ張りコイルバネ２６の付勢に抗してカートリッジ４を押し込むと、この状態では、カートリッジ４の溝４ａにシャッター開放部材１２ａが係合して、またシャッタ５の孔５ａにシャッター閉塞部材１２ｂが係合した状態でシャッタ５が溝４ｂに沿って解放され、カートリッジホルダー２に対してイジェクトスライダ１５はガイド長孔２２ａ，２２ｂに沿って摺動し、イジェクトスライダ１５のロック片１９の係止部１９ａがカートリッジホルダー２の係止部材１１に係合する直前位置で、図７に示すようにイジェクトスライダ１５のロック解除用係合片２０の先端がメカシャーシ６のロック解除部材１４の側面に当接するとともに、ロック片１９の係止部１９ａの直前に形成されている傾斜面１９ｂがカートリッジホルダー２の係止部材１４の裏面に当接する。
【００２５】
なお、ロック解除用係合片２０の先端がメカシャーシ６のロック解除部材１４の側面に当接した状態におけるロック解除用係合片２０の先端を逃がす孔２ａが、カートリッジホルダー２の側に設けられている。
【００２６】
カートリッジ４がさらに押し込まれることによってロック片１９がカートリッジホルダー２の係止部材１１によって押し下げられて、ロック片１９は基端部ｄを支点に先端が下方に弾性変形し、ロック片１９の傾斜面１９ｂがカートリッジホルダー２の係止部材１４を通過した時に前記の弾性変形が解除されて、図８と図９に示すようにイジェクトスライダ１５のロック片１９の係止部１９ａがカートリッジホルダー２の係止部材１１に係合して、カートリッジホルダー２におけるイジェクトスライダ１５の摺動位置がロックされる。このイジェクトスライダ１５がロックされた状態では、カートリッジ４を押し込む操作力を解除してもカートリッジ４はカートリッジホルダー２から飛び出さない。また、この図８に示す状態では、イジェクトスライダ１５のロック解除用係合片２０の先端がメカシャーシ６のロック解除部材１４の側面に当接している。
【００２７】
次に、上蓋１を閉じる方向に回動させると、カートリッジホルダー２が図８の矢印Ｄ方向に回動し、メカシャーシ６のロック解除部材１４の側面に当接していたロック解除用係合片２０が図１０〜図１２に示すようにロック解除部材１４の側面から外れて、ロック解除用係合片２０がロック解除部材１４の下方位置に移動する。この図１０〜図１２に示す状態でカートリッジ１に収容された光ディスクの記録再生が実施される。
【００２８】
カートリッジ４の交換の際には、上蓋１を開くことによって、カートリッジホルダー２が図１３に示すように矢印Ｅ方向に回動する。この回動の際には、図１４に示すようにイジェクトスライダ１５のロック解除用係合片２０の中間部がメカシャーシ６のロック解除部材１４によって押し下げられて、イジェクトスライダ１５のロック片１９の係止部１９ａとカートリッジホルダー２の係止部材１１との係合が解除されて、イジェクトスライダ１５が引っ張りコイルバネ２６の付勢力でカートリッジホルダー２に対して矢印Ｆ方向に摺動する。この際に、イジェクトスライダ１５の係合片１６によってカートリッジ４が図１５に示すようにカートリッジホルダー２から押し出されてイジェクトが実行される。
【００２９】
このように、イジェクトスライダ１５のロック片１９に一体にロック解除用係合片２０を設け、カートリッジホルダー２に一体に形成された係止部材１１に係合してロックされたイジェクトスライダ１５の前記ロックを解除する際には、上蓋１の開放操作に連動してカートリッジホルダー２が回動するが、イジェクトスライダ１５のロック解除用係合片２０の回動がメカシャーシ６に一体に設けたロック解除部材１４によって規制されて、前記のロック片１９と係止部材１１とが係合したロック状態が解除されてイジェクトが実行されるので、図２９に示した従来例のロック部材６７やラチェット部材７２などを必要とせず、その組み付け工程を必要としない。
【００３０】
（実施の形態２）
図１６〜図２９は本発明の（実施の形態２）のカートリッジイジェクト装置を備えた携帯用ディスク装置を示す。なお、（実施の形態１）と同様の作用をなすものには同一の符号を付けて説明する。
【００３１】
（実施の形態１）ではロック手段１８がロック片１９とロック解除用係合片２０とで構成され、外装ケースの上蓋１を開く際には、メカシャーシ６の側のロック解除部材１４にイジェクトスライダ１５の側のロック解除用係合片２０が係合して、上蓋１を開く動作に連動してカートリッジホルダー２が開状態に回動することによってロック片１９がカートリッジホルダー２の側の係止部材１１から外れてカートリッジ４のイジェクトが実行されたが、この（実施の形態２）では、（実施の形態１）におけるロック解除用係合片２０に相当する構成要件がイジェクトスライダ１５の側には設けられておらず、その代わりにメカシャーシ６の側のロック解除部材１４が弾性変形できるように構成されている。
【００３２】
図１６に示すカートリッジホルダー２は（実施の形態１）と同様で、イジェクトスライダ１５の要部の形状が図１７と図１８に示すように構成されている。
イジェクトスライダ１５には、カートリッジホルダー２に挿入されたカートリッジ４に当接する係合片１６と、カートリッジホルダー２の支持板部１０に沿うベース部１７と、孔２１を穿設して形成されたロック片１９とが板金加工で一体に形成されている。
【００３３】
なお、ベース部１７にはカートリッジホルダー２の切り起こし片１３ａ，１３ｂが係合するガイド長孔２２ａ，２２ｂが形成されている。ロック片１９には、図１８に示すように長手方向（矢印Ａ方向）の剛性を満足させるために折曲辺２３が一体に形成されている。
【００３４】
イジェクトスライダ１５はカートリッジホルダー２に図１９に示すように、カートリッジホルダー２の切り起こし片１３ａ，１３ｂをイジェクトスライダ１５のガイド長孔２２ａ，２２ｂに係合させてスライド自在に組み付け、イジェクトスライダ１５に一体に形成されているバネ係止片２４とカートリッジホルダー２に一体に形成されているバネ係止片２５の間に引っ張りコイルバネ２６が介装されている。
【００３５】
図１６に示すメカシャーシ６の側に設けられた係止部材２７は、メカシャーシ６に形成されたロック解除部本体２８と、このロック解除部本体２８に取り付けられるロック解除片２９とで構成されている。この詳細は図２４に示すように形成されている。
【００３６】
図２４の（ａ）（ｃ）に示すように、バネ材を板金加工で形成されたロック解除片２９には、メカシャーシ６のロック解除部本体２８の後端に形成された第１の凸部２８ａに係合する孔２９ａが穿設された第１の折曲片２９ｂがロック解除片本体２９ｃの後部に形成され、ロック解除片本体２９ｃの前端の上面にはカートリッジホルダー２に近付くように内側に折り曲げられた第２の折曲片２９ｄが形成されている。第２の折曲片２９ｄの途中には、後端に向かって延びる支持片２９ｅが形成され、さらに、ロック解除片本体２９ｃには、メカシャーシ６のロック解除部本体２８の外側面に形成された第２の凸部２８ｂに係合する切欠部２９ｆが形成されている。
【００３７】
さらに、このロック解除片２９の前記の切欠部２９ｆを形成することによってロック解除片本体２９ｃに形成された腕部２９ｇは、矢印Ｇ方向に内側に僅かに折り曲げて形成されている。
【００３８】
このように構成されたロック解除片２９のメカシャーシ６のロック解除部本体２８への取り付けは、図２４の（ｂ）から（ｃ）に示すようにワンタッチ操作で簡単に取り付けられる。
【００３９】
具体的には、図２４の（ｂ）に示すように、ロック解除片２９の第１の折曲片２９ｂをメカシャーシ６のロック解除部本体２８の第１の凸部２８ａに僅かだけ係合させるとともに、ロック解除片２９の支持片２９ｅとロック解除片本体２９ｃの内側とでメカシャーシ６のロック解除部本体２８の上部凸部２８ｃを挟持し、メカシャーシ６のロック解除部本体２８の上にロック解除片２９が前上がりになった状態で載置される。この状態でロック解除片２９の前端部を矢印Ｈで示すように下方に押圧すると、ロック解除片２９は第１の折曲片２９ｂの孔２９ａとメカシャーシ６のロック解除部本体２８の第１の凸部２８ａとの係合箇所（ポイントＰ１）を中心に回動して図２４（ｃ）に示すようにロック解除片２９の腕部２９ｇがメカシャーシ６のロック解除部本体２８の第２の凸部２８ｂを乗り越えて、ロック解除片２９の切欠部２９ｆに第２の凸部２８ｄが入り込んだ目的位置にセットされる。
【００４０】
この図２４（ｃ）に示すセット状態では、メカシャーシ６のロック解除部本体２８におけるロック解除片２９の前後方向（矢印Ｊ方向）の位置は、メカシャーシ６のロック解除部本体２８の後端面とロック解除片２９の第１の折曲片２９ｂとの当接（ポイントＰ２）と、メカシャーシ６のロック解除部本体２８の上部凸部２８ｃの前端とロック解除片２９の第２の折曲片２９ｄとの当接（ポイントＰ３）とで規制されて位置決めされている。
【００４１】
また、上下方向の位置は、ロック解除片２９の腕部２９ｇがメカシャーシ６の第２の凸部２８ｂに係合することによって位置決めされている。
また、左右方向の位置は、ロック解除片２９の第２のロック解除片２９の支持片２９ｅの係止片本体側の端面２９ｈを、メカシャーシ６の上部凸部２８ｃの内周面に、ロック解除片２９の腕部２９ｇの弾性力で押し付けて位置決めされている。
【００４２】
このようにメカシャーシ６のロック解除部本体２８にセットされたロック解除片２９の第２の折曲片２９ｄの先端部２９ｉが、下記に示すようにカートリッジのイジェクト動作に重要な役割を果たす。
【００４３】
図１９は上蓋１を開いてカートリッジ挿入口３からカートリッジ４を挿入している状態を示している。このときのイジェクトスライダ１５のロック片１９とメカシャーシ６の側のロック解除片２９との位置関係を図２０に示す。
【００４４】
カートリッジ４をイジェクトスライダ１５の係合片１６に当接するまで挿入していくと、イジェクトスライダ１５が引っ張りコイルバネ２６の付勢に抗してカートリッジホルダー２に対してイジェクトスライダ１５がガイド長孔２２ａ，２２ｂに沿って摺動し、図２１に示すようにイジェクトスライダ１５のロック片１９の係止部１９ａがカートリッジホルダー２の係止部材１１に係合する直前位置で、ロック片１９の係止部１９ａの直前に形成されている傾斜面１９ｂがカートリッジホルダー２の係止部材１１の裏面に当接する。
【００４５】
カートリッジ４がさらに押し込まれることによってロック片１９がカートリッジホルダー２の係止部材１１によって押し下げられて、ロック片１９は基端部ｄを支点に先端が下方に弾性変形し、ロック片１９の傾斜面１９ｂがカートリッジホルダー２の係止部材１１を通過した時に前記の弾性変形が解除されて、図２２と図２３に示すようにイジェクトスライダ１５のロック片１９の係止部１９ａがカートリッジホルダー２の係止部材１１に係合して、カートリッジホルダー２におけるイジェクトスライダ１５の摺動位置がロックされる。このイジェクトスライダ１５がロックされた状態では、カートリッジ４を押し込む操作力を解除してもカートリッジ４はカートリッジホルダー２から飛び出さない。
【００４６】
この状態におけるイジェクトスライダ１５のロック片１９とメカシャーシ６の側のロック解除片２９との位置関係を図２５に示す。図２６の（ａ）は図２５のＸ−Ｘ′矢視図を示す。この図からも分かるように、イジェクトスライダ１５の折曲辺２３の奥端２３ａはロック解除片２９の第２の折曲片２９ｄの先端部２９ｉよりも上方に位置している。
【００４７】
次に、上蓋１を閉じる方向に回動させると、カートリッジホルダー２が図２２の矢印Ｄ方向に回動し、その途中でイジェクトスライダ１５の折曲辺２３の奥端２３ａとロック解除片２９の第２の折曲片２９ｄの先端部２９ｉとが当接して、図２６の（ｂ）に示すようにロック解除片２９の第２の折曲片２９ｄの先端部２９ｉが下方に弾性変形し、イジェクトスライダ１５の折曲辺２３が図２６の（ｃ）および図２７に示すようにロック解除片２９の第２の折曲片２９ｄの側方を下側に向かって通過する。
【００４８】
カートリッジ４の交換の際には、上蓋１を開くことによって、カートリッジホルダー２が図２８に示すように矢印Ｅ方向に回動する。この回動の際には、イジェクトスライダ１５の折曲辺２３がメカシャーシ６の側の第２の折曲片２９ｄの先端部２９ｉの下方に当接して押し下げられて、イジェクトスライダ１５のロック片１９の係止部１９ａとカートリッジホルダー２の係止部材１１との係合が解除されて、イジェクトスライダ１５が引っ張りコイルバネ２６の付勢力でカートリッジホルダー２に対して矢印Ｆ方向に摺動する。この際に、イジェクトスライダ１５の係合片１６によってカートリッジ４が図２８に示すようにカートリッジホルダー２から押し出される。
【００４９】
上記の（実施の形態２）では、第２の折曲片２９ｄとロック片１９のうちの第２の折曲片２９ｄを弾性変形するように構成したが、ロック片１９の方を弾性変形するように構成したり、第２の折曲片２９ｄとロック片１９の両方をを弾性変形するようにして構成することもできる。
【００５０】
【発明の効果】
以上のように本発明によると、カートリッジホルダーに摺動自在に取り付けられるイジェクトスライダに、弾性変形が可能なロック片およびロック解除用係合片を一体に形成したため、部品点数の削減と組み立て工数の低減を達成してカートリッジのイジェクトを実現できる。
【００５１】
また、本発明によると、カートリッジホルダーに摺動自在に取り付けられカートリッジホルダーの係止部材に係合するロック片を有するイジェクトスライダと、記録再生装置の外装ケースの側に設けられて前記ロック片のロック解除に寄与するロック解除手段を設け、カートリッジホルダーを閉じるときには互いの当接によって前記ロック片とロック解除手段の少なくとも一方を弾性変形ができるように構成して、カートリッジホルダーを開けるときには、ロック解除手段がカートリッジホルダーの係止部材とロック片との係合を解除するように構成したため、部品点数の削減と組み立て工数の低減を達成してカートリッジのイジェクトを実現できる。
【図面の簡単な説明】
【図１】本発明のカートリッジイジェクト装置を備えた携帯用ディスク装置の外観斜視図
【図２】同（実施の形態１）のカートリッジイジェクト装置の分解斜視図
【図３】同実施の形態のイジェクトスライダの正面図
【図４】図３の一部切欠き平面図
【図５】同実施の形態の上蓋を開いた状態のカートリッジイジェクト装置の正面図
【図６】図５の要部の拡大図
【図７】図５の状態でカートリッジを終端の近くまで押し込んだ状態の要部の平面図
【図８】図５の状態でカートリッジを終端まで押し込んだ状態の正面図
【図９】図８の要部の拡大図
【図１０】同実施の形態の上蓋を閉じた状態のカートリッジイジェクト装置の正面図
【図１１】図１０の要部の拡大図
【図１２】図１０の状態の要部の平面図
【図１３】上蓋を閉じた状態から開いた状態のイジェクト直前の正面図
【図１４】図１３の要部の拡大図
【図１５】上蓋を閉じた状態から開いた状態のイジェクト時の正面図
【図１６】（実施の形態２）のカートリッジイジェクト装置の分解斜視図
【図１７】同実施の形態のイジェクトスライダの正面図
【図１８】図１７の一部切欠き平面図
【図１９】同実施の形態の上蓋を開いた状態のカートリッジイジェクト装置の正面図
【図２０】図１９の要部の拡大図
【図２１】図１９でカートリッジを終端の近くまで押し込んだ状態の要部の拡大図
【図２２】図１９でカートリッジを終端まで押し込んだ状態の正面図
【図２３】図２２の要部の拡大図
【図２４】同（実施の形態２）の係止部本体と係止片の拡大の分解斜視と組み立て工程図
【図２５】同（実施の形態２）の上蓋を閉じる前の状態の要部の平面図
【図２６】同（実施の形態２）の各状態の背面図
【図２７】同（実施の形態２）の上蓋を閉じた状態の要部の平面図
【図２８】上蓋を閉じた状態から開いた状態のイジェクト時の正面図
【図２９】従来のカートリッジイジェクト装置の分解斜視図
【符号の説明】
１    外装ケースの上蓋
２    カートリッジホルダー
３    カートリッジ挿入口
４    カートリッジ
５    シャッタ
６    メカシャーシ
７    カートリッジホルダーの折曲部
８    孔
９    軸支片
１０    支持板部
１１    係止部材
１２    シャッター開放部材
１３ａ，１３ｂ    切り起こし片
１４    ロック解除部材
１５    イジェクトスライダ
１６    係合片
１７    ベース部
１８    ロック手段
１９    ロック片
１９ａ  ロック片の係止部
１９ｂ  ロック片の傾斜面
２０    ロック解除用係合片
２１    孔
２２ａ，２２ｂ    ガイド長孔
２３    折曲辺
２４    バネ係止片
２５    バネ係止片
２６    引っ張りコイルバネ
２７    メカシャーシの側に設けられた係止部材
２８    係止部本体
２８ａ  第１の凸部
２８ｂ  第２の凸部
２８ｃ  上部凸部
２９    ロック解除片
２９ａ  孔
２９ｂ  第１の折曲片
２９ｃ  ロック解除片本体
２９ｄ  第２の折曲片
２９ｅ  支持片
２９ｆ  切欠部
２９ｇ  腕部
【図１】
0003553774.tif 000002
【図２】
0003553774.tif 000003
【図３】
0003553774.tif 000004
【図４】
0003553774.tif 000005
【図５】
0003553774.tif 000006
【図６】
0003553774.tif 000007
【図７】
0003553774.tif 000008
【図８】
0003553774.tif 000009
【図９】
0003553774.tif 000010
【図１０】
0003553774.tif 000011
【図１１】
0003553774.tif 000012
【図１２】
0003553774.tif 000013
【図１３】
0003553774.tif 000014
【図１４】
0003553774.tif 000015
【図１５】
0003553774.tif 000016
【図１６】
0003553774.tif 000017
【図１７】
0003553774.tif 000018
【図１８】
0003553774.tif 000019
【図１９】
0003553774.tif 000020
【図２０】
0003553774.tif 000021
【図２１】
0003553774.tif 000022
【図２２】
0003553774.tif 000023
【図２３】
0003553774.tif 000024
【図２４】
0003553774.tif 000025
【図２５】
0003553774.tif 000026
【図２６】
0003553774.tif 000027
【図２７】
0003553774.tif 000028
【図２８】
0003553774.tif 000029
【図２９】
0003553774.tif 000030